【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
腐敗性食品製品の多数の個々の部分の在庫を管理する方法において、該方法は、
第１の側と、第２の側と、第１の側と第２の側との間の中心線と、腐敗性製品の供給源流を受け取る近位端部と、分配コンベアから前記腐敗性製品のテール流を放出する遠位端部と、分配コンベアの近位端部と遠位端部との間に存在する１つ以上の制御可能に調整可能な側方放出流れ制御弁とを有する分配コンベアを提供するステップであって、前記１つ以上の制御可能に調整可能な側方放出流れ制御弁の各々は、前記製品の供給源流の制御可能な一部を、前記分配コンベアの第１の側から前記１つ以上の制御可能に調整可能な側方放出流れ制御弁の各々より下方に配置された対応する受け取り構造へ、回転可能なスリーブの開口から放出するように制御可能に調整可能である、ステップと、
前記分配コンベアの遠位端部から放出されるテール流を受け取るために前記分配コンベアの遠位端部の近位に配置された近位端部と、前記製品のテール流を再循環コンベアから前記分配コンベアの再投入区域上へ放出するように配置された遠位端部とを有する再循環コンベアを提供するステップであって、前記分配コンベアの再投入区域は、前記分配コンベアの近位端部と、前記１つ以上の制御可能に調整可能な側方放出流れ制御弁のうちの最も近いものとの間に存在し、かつ前記分配コンベアの中心線から前記分配コンベアの第１の側に向かって側方方向に偏倚されている、ステップと、
前記分配コンベアの近位端部において受け取られた腐敗性製品の供給源流の少なくとも一部を前記１つ以上の制御可能に調整可能な側方放出流れ制御弁を通して移動させ、さらに前記再循環コンベアの近位端部へ放出するために前記分配コンベアの遠位端部へ移動させるように前記分配コンベアを作動させるステップと、
前記再循環コンベアの近位端部において受け取られたテール流を前記分配コンベアの再投入区域へ放出するために前記遠位端部へ移動させるように前記再循環コンベアを作動させるステップと、
前記テール流を前記分配コンベアに沿って前記１つ以上の制御可能に調整可能な側方放出流れ制御弁へ搬送するステップと、
前記テール流を１つ以上の受け取り構造へ放出するステップと
を含む、方法。
【請求項２】
前記１つ以上の受け取り構造の各々が、前記１つ以上の制御可能に調整可能な側方放出流れ制御弁のうちの対応する１つの下に配置された近位端部を有する受け取りコンベアを含む、請求項１に記載の方法。
【請求項３】
前記１つ以上の受け取りコンベアのうちの１つの近位端部上に、前記テール流および前記テール流と前記分配コンベアの近位端部において前記分配コンベア上に受け取られた前記腐敗性食品製品の供給源流の一部との混合物のうちの一方を受け取るステップと、
前記１つ以上の受け取りコンベアに放出された前記テール流およびテール流と前記腐敗性食品製品の供給源流の一部との混合物のうちの一方を調味ステーションおよび計量袋詰め機の少なくとも一方に搬送するステップと、をさらに含む、請求項２に記載の方法。
【請求項４】
前記１つ以上の受け取りコンベアのうちの別のものの近位端部上に、前記１つ以上の制御可能に調整可能な側方放出流れ制御弁のうちの別のものを通じて前記分配コンベアから放出された、前記テール流の残部と前記腐敗性食品製品の供給源流の一部との混合物および前記腐敗性食品製品の供給源流の一部のうちの一方を受け取るステップと、
前記１つ以上の受け取りコンベアのうちの前記別のものを使用して、前記１つ以上の制御可能に調整可能な側方放出流れ制御弁のうちの前記別のものから放出された、前記テール流の残部と前記腐敗性食品製品の供給源流の一部との混合物および前記腐敗性食品製品の供給源流の一部のうちの一方を調味ステーションおよび計量袋詰め機の少なくとも１つへ搬送するステップと、をさらに含む、請求項３に記載の方法。
【請求項５】
再循環コンベアを提供するステップが、
往復再循環コンベアおよびベルト式再循環コンベア（ｂｅｌｔｅｄ  ｒｅｃｉｒｃｕｌａｔｉｏｎ  ｃｏｎｖｅｙｏｒ）のうちの一方を提供することを含む、請求項１に記載の方法。
【請求項６】
前記再循環コンベアが、近位端部と、近位端部に対して上昇した遠位端部とを有する往復再循環コンベアであり、
前記再循環コンベアが前記テール流を前記再循環コンベアの近位端部から前記再循環コンベアの遠位端部へ搬送するにつれて、前記再循環コンベアが前記テール流を上昇させる、請求項５に記載の方法。
【請求項７】
前記再循環コンベアのトラフの底部が、丸味を帯びた底部および平坦な底部の一方である、請求項１に記載の方法。
【請求項８】
前記再循環コンベアのトラフが丸味を帯びており、
前記トラフが半円形の形状である、請求項７に記載の方法。
【請求項９】
分配コンベアを提供するステップが、
往復分配コンベアおよび振動下方傾斜分配コンベアのうちの一方を提供することを含む、請求項１に記載の方法。
【請求項１０】
分配コンベアを提供するステップが、往復分配コンベアを提供することを含み、
前記分配コンベアを作動させるステップが、差動インパルスドライバを用いて、前記分配コンベアを軸線方向に往復運動させることを含む、請求項９に記載の方法。
【請求項１１】
多数の個々の腐敗性食品部分からなる在庫の管理に使用するための装置において、該装置は、
近位端部と、遠位端部と、第１の側と、第２の側と、第１の側と第２の側との間に存在する中心線と、内部に開口を備えた制御可能に回転可能なスリーブを有する少なくとも１つの制御可能に調整可能な側方放出流れ制御弁とを有する分配コンベアであって、該分配コンベアに沿って前記個々の腐敗性食品部分の供給源流は前記近位端部から前記少なくとも１つの制御可能に調整可能な側方放出流れ制御弁へ搬送可能である、分配コンベアと、
前記分配コンベアの遠位端部から放出された個々の腐敗性食品部分のテール流を受け取るように配置された近位端部と、前記個々の腐敗性食品部分のテール流を再循環コンベアから前記分配コンベアの中心線と第１の側との間かつ前記近位端部と前記少なくとも１つの制御可能に調整可能な側方放出流れ制御弁との間に存在する前記分配コンベアの再投入区域上に放出するように配置された遠位端部とを有する再循環コンベアと
を備える、装置。
【請求項１２】
前記分配コンベアのトラフが、半円形の底部、および平坦な底部と一対の対向する上方に傾斜した側壁との間に形成された一対の対向した鈍角内角の間に配置された平坦な底部のうちの一方を含む、請求項１１に記載の装置。
【請求項１３】
前記少なくとも１つの制御可能に調整可能な側方放出流れ制御弁が前記分配コンベアの近位端部と遠位端部との間に配置されており、
前記少なくとも１つの制御可能に調整可能な側方放出流れ制御弁が、前記製品の供給源流の制御可能な一部を、前記分配コンベアの第１の側上に配置された前記制御可能に回転可能なスリーブ内の開口から、前記１つ以上の制御可能に調整可能な側方放出流れ制御弁の各々より下方に配置された対応する受け取り構造へ、放出するように制御可能に調整可能である、請求項１１に記載の装置。
【請求項１４】
前記再循環コンベアが、振動コンベア、ベルトコンベアおよび往復コンベアのうちの１つを含む、請求項１１に記載の装置。
【請求項１５】
多数の腐敗性食品製品からなるテール流を搬送する方法であって、
近位端部、遠位端部、前記近位端部と遠位端部との間に配置された内部に開口を備えた制御可能に回転可能なスリーブを有する１つ以上の制御可能に調整可能な側方放出流れ制御弁、第１の側、第２の側、および第１の側と第２の側との間の中心線を有する分配コンベアを提供するステップと、
前記分配コンベアの遠位端部の近位にある近位端部と、遠位端部とを有する再循環コンベアを提供するステップと、
前記分配コンベアを作動させるステップと、
前記再循環コンベアを作動させるステップと、
前記分配コンベアの近位端部において多数の腐敗性の個々の食品部分からなる供給源流を受け取って、前記供給源流を前記分配コンベアに沿って前記１つ以上の制御可能に調整可能な側方放出流れ制御弁へ搬送するステップと、
前記供給源流の１つ以上の部分を前記分配コンベアから前記１つ以上の制御可能に調整可能な流れ制御弁の各々の近位に配置された受け取り構造に放出するステップと、
前記分配コンベア上に残存するテール流を前記分配コンベアの遠位端部から前記再循環コンベアの近位端部へ放出するステップと、
前記テール流を前記再循環コンベアの遠位端部へ搬送するステップと、
前記テール流を前記再循環コンベアの遠位端部から、前記近位端部と前記１つ以上の制御可能に調整可能な側方放出流れ制御弁との間に存在し、かつ前記分配コンベアの中心線から前記分配コンベアの第１の側の方向に偏倚した前記分配コンベアの再投入区域へ放出するステップと
を含む、方法。
【請求項１６】
前記１つ以上の制御可能に調整可能な側方放出流れ制御弁をその内部にある前記制御可能に回転可能なスリーブを回転させることによって、合一された供給源流およびテール流の一部をそれらの制御可能に調整可能な側方放出流れ制御弁の近位にある受け取り構造へ放出するように、制御可能に調整するステップをさらに含む請求項１５に記載の方法。
【請求項１７】
前記受け取り構造が受け取りコンベアである、請求項１６に記載の方法。
【請求項１８】
前記合一された供給源流およびテール流の放出された部分を調味ステーションおよび計量袋詰め機の少なくとも一方に搬送するステップをさらに含む、請求項１７に記載の方法。